(57)【要約】【課題】構造がシンプルで、製造コストを抑えたミラーの曇り止め構造を提供すること。【解決手段】本発明のミラーの曇り止め構造は、浴室１の壁面１ａに取り付けたミラー２の上方に貯水用タンク３を設けたものである。貯水用タンク３の下部には、貯水用タンク３に溜められた貯水Ｗをミラー２の表面上端部２ａに搬送して流出孔４ａから流出させる搬送部４を有する。搬送部４の流出孔４ａの開口縁部４ｂは、ミラー２の表面上端部２ａに弾性的に接触して流出孔４ａを塞いでいる。流出孔４ａの開口縁部４ｂは、貯水Ｗから受ける水圧が所定の水圧以上の場合に、流出孔４ａを開くように弾性変形する。【選択図】図１
2011229569.tif 000002
【特許請求の範囲】
【請求項１】
浴室の壁面に取り付けたミラーの上方に貯水用タンクを設け、前記貯水用タンクの下部には、前記貯水用タンクに溜められた貯水を前記ミラーの表面上端部に搬送して流出孔から流出させる搬送部を有し、前記搬送部の前記流出孔の開口縁部は、前記表面上端部に弾性的に接触して前記流出孔を塞いでいて、前記貯水から受ける水圧が所定の水圧以上の場合に、前記流出孔を開くように弾性変形することを特徴とするミラーの曇り止め構造。
【発明の詳細な説明】
【技術分野】
【０００１】
本発明は、浴室等のミラーの曇り止め構造に関するものである。
【背景技術】
【０００２】
従来から、例えば特許文献１に示すような、ミラーの曇り止め構造が提案されている。このミラーの曇り止め構造は、浴室の壁面に取り付けたミラーの上方に、貯水用タンクを設けたものである。貯水用タンクの下部には、貯水用タンクに溜められた貯水をミラーの表面上端部に搬送して流出孔から流出させる搬送部を有している。搬送部の流出孔は、浴室内に設置してあるスイッチを押したり、ミラーの表面の水膜の有無をセンサーで検知させたりして、制御回路を起動させて開閉を行うものである。
【先行技術文献】
【特許文献】
【０００３】
【特許文献１】特開２０００−２３７０１４号公報
【発明の概要】
【発明が解決しようとする課題】
【０００４】
上記ミラーの曇り止め構造においては、スイッチや制御回路やセンサーなどの電気部品を用いるために、上記電気部品を湿気や水から守るための防水構造を設けなければならず、製造コストが高く、構造全体が大掛かりなものとなるという問題があった。
【０００５】
本発明は前記事情に鑑みて発明したものであって、構造がシンプルで、製造コストを抑えたミラーの曇り止め構造を提供することを課題とする。
【課題を解決するための手段】
【０００６】
前記課題を解決するために本発明のミラーの曇り止め構造は、浴室の壁面に取り付けたミラーの上方に貯水用タンクを設け、前記貯水用タンクの下部には、前記貯水用タンクに溜められた貯水を前記ミラーの表面上端部に搬送して流出孔から流出させる搬送部を有し、前記搬送部の前記流出孔の開口縁部は、前記表面上端部に弾性的に接触して前記流出孔を塞いでいて、前記貯水から受ける水圧が所定の水圧以上の場合に、前記流出孔を開くように弾性変形することを特徴とする。
【発明の効果】
【０００７】
本発明は、構造がシンプルで、製造コストを抑えたミラーの曇り止め構造を提供することができる。
【図面の簡単な説明】
【０００８】
【図１】本発明の実施形態のミラーの曇り止め構造を示す側面断面図である。
【図２】同上のミラーの曇り止め構造を示し、（ａ）は側面図であり、（ｂ）は貯水用タンクの背面図であり、（ｃ）は流出弁の斜視図である。
【図３】同上のミラーの曇り止め構造の貯水用タンク内に溜めた貯水の流れを説明する説明図である。
【発明を実施するための形態】
【０００９】
本発明を添付図面に示す実施形態に基づいて説明する。
【００１０】
本実施形態のミラーの曇り止め構造を構成する貯水用タンク３は、図１に示すように、浴室１の壁面１ａに取り付けられたミラー２の上方の壁面１ａに、ねじ具５にて取り付けられるものである。以下においては、ミラー２及び貯水用タンク３が壁面１ａに取り付けられた状態を基準とし、壁面１ａが正対する方向Ｘを正面側として説明を行う。
【００１１】
貯水用タンク３は、上部が上方に向かって開口する箱状のものであって、水を溜める貯水部７を内側に有する。また、貯水用タンク３は、貯水部７に溜めた貯水Ｗを外部に流出させる搬送経路となる搬送部４を下部に有する。貯水部７と搬送部４とは連通している。搬送部４の下流端部には、流出孔４ａがミラー２の表面上端部２ａに向かって開口している。
【００１２】
搬送部４は、可撓性を有していて、ミラー２の上方に貯水用タンク３を取り付けた状態において、流出孔４ａの開口縁部４ｂがミラー２の表面上端部２ａに弾性的に接触するように構成されている。この状態において、流出孔４ａは、ミラー２の表面上端部２ａによって塞がれて、貯水Ｗを流出することができなくなっている。流出孔４ａは、左右の幅の長さが、ミラー２の左右の幅の長さと略同じとなるよう形成されている。
【００１３】
可撓性を有する搬送部４は、図３に示すように、貯水部７及び搬送部４に溜められた貯水Ｗの水量が所定の水量以上となった場合に、貯水Ｗから受ける水圧によって、開口縁部４ｂとミラー２の表面上端部２ａとの間に下方に向けて開口する流出隙間Ｓができるように弾性変形させられる。この状態において、流出孔４ａから、ミラー２の表面に沿って貯水Ｗは流出される。なお、本実施形態においては、流出隙間Ｓは、０．２ｍｍ〜１．０ｍｍ程度の隙間となっており、貯水用タンク３に溜めた貯水Ｗで、長時間、ミラー２の表面に薄い水膜を形成し続けることができるものである。ここで、流出隙間Ｓは、ミラー２の表面に薄い水膜ができる程度であれば、例示の数値に限定されない。
【００１４】
上述した所定の水量は、本実施形態では、喫水面が搬送部４より上方の貯水部７に位置する水量を示す。なお、搬送部４の可撓性の度合いを調整して、所定の水量を、上述とは異なる他の水量となるように変更することは、もちろん可能である。
【００１５】
ここで、本実施形態の貯水用タンク３の構成について、さらに詳しく説明する。
【００１６】
貯水用タンク３は、図１及び図２（ａ）〜（ｃ）に示すように、正面パーツ３ａと、背面パーツ３ｂと、２つの側面パーツ３ｃと、板状の止水部３ｄと、流出弁３ｅと、を固定具６を使って組み立てた樹脂性のものから形成される。
【００１７】
正面パーツ３ａの左右の側面には、固定具６が側方から差し込まれる固定具嵌合穴３ａ１がそれぞれ複数（図では、各４つ）設けられている。正面パーツ３ａの背面側の下部には、板状の止水部３ｄを摺動自在に差し込むための止水部差し込み凹部３ａ２が、後方に向けて開口するように設けられている。また、正面パーツ３ａの下端部には、図２（ｃ）に示す流出弁３ｅの凸部３ｅ３が嵌合する断面略六角形状の流出弁嵌合凹部３ａ３が形成されている。なお、正面パーツ３ａは左右方向の全域に亘って同じ断面形状で成形されている。
【００１８】
背面パーツ３ｂの左右の側面には、固定具６が側方から差し込まれる固定具嵌合穴３ｂ１がそれぞれ複数（図では、各３つ）設けられている。背面パーツ３ｂの前面側の下部には、正面パーツ３ａの止水部差し込み凹部３ａ２に対向する位置に、板状の止水部３ｄを摺動自在に差し込むための止水部差し込み凹部３ｂ２が前方に向けて開口するように設けられている。また、背面パーツ３ｂの下部には、搬送部４に流入した貯水Ｗが上方に流出することを防止する流出防止片３ｂ３がミラー２の表面上端部２ａに向けて突出して設けられている。なお、背面パーツ３ｂもまた、左右方向の全域に亘って同じ断面形状で成形されている。背面パーツ３ｂの背面には、図２（ｂ）に示すように、ねじ具５の軸部を差し込むことができるねじ具差し込み用凹部３ｂ４が成形後、設けられる。なお、成形時に形成されていても構わない。
【００１９】
止水部３ｄは、正面パーツ３ａの止水部差し込み凹部３ａ２と、背面パーツ３ｂの止水部差し込み凹部３ｂ２に差し込まれて、前後に摺動自在となっている。なお、止水部３ｄは、後端部３ｄ１が背面パーツ３ｂの止水部差し込み凹部３ｂ２内に位置し、止水部３ｄの前端部３ｄ２が正面パーツ３ａの止水部差し込み凹部３ａ２内に位置した状態において、貯水部７と搬送部４とを区画した状態となる。また、図３に示すように、止水部３ｄの前端部３ｄ２が正面パーツ３ａの止水部差し込み凹部３ａ２の最奥面に接触した状態において、止水部３ｄは、全部分が、正面パーツ３ａの止水部差し込み凹部３ａ２内に位置することとなる。止水部３ｄの側面の前端部には、貯水用タンク３を組み立てた後で、摘み部３ｄ３が貯水用タンク３の外側から固着される。なお、通常、止水部３ｄは正面パーツ３ａの止水部差し込み凹部３ａ２内に位置させていて、貯水部７と搬送部４とを連通した状態の貯水用タンク３が使用される。
【００２０】
流出弁３ｅは、図２（ｃ）に示すように、前端に正面パーツ３ａの流出弁嵌合凹部３ａ３に嵌合する断面略六角形状の凸部３ｅ３を有し、後端に、ミラー２の表面上端部２ａに弾性的に接触する可撓部３ｅ１と側方水漏れ防止片３ｅ４を有する。凸部３ｅ３と、可撓部３ｅ１とは、板状の板部３ｅ２で接続されている。凸部３ｅ３と板部３ｅ２とは、硬質樹脂製で、可撓部３ｅ１と側方水漏れ防止片３ｅ４とは軟質樹脂製で形成されている。側方水漏れ防止片３ｅ４は、可撓部３ｅ１の左右両側の端部に形成される側面視三角形状のものでる。側方水漏れ防止片３ｅ４は、水圧で可撓部３ｅ１と共に弾性変形されられた場合であっても、搬送部４に流入した貯水Ｗが側方に流出することを防止できるように形成されている。ここで、可撓部３ｅ１は、下端部が、図３の仮想線で示すように、ミラー２の表面上端部２ａとの間に流出隙間Ｓを形成するまで、前方向に撓むことができる程度の弾性を有する。なお、流出弁３ｅは、２種類の硬度の樹脂で形成するのではなく、１種類の硬度の樹脂で形成し、厚みを調整して、弾性を持たせるようにしてもよい。
【００２１】
２つの側面パーツ３ｃには、図２（ａ）に示すように、正面パーツ３ａの固定具嵌合穴３ａ１及び、背面パーツ３ｂの固定具嵌合穴３ｂ１に対応する位置に、固定具６を差し込む固定具挿入孔３ｃ１がそれぞれ複数（図では各７つ）設けられている。また、一方（右側）の側面パーツ３ｃには、止水部３ｄに固着される摘み部３ｄ３がスライド自在な長孔部３ｃ２が、正面パーツ３ａの止水部差し込み凹部３ａ２に対応する位置に設けられている。側面パーツ３ｃは、貯水用タンク３に溜められた貯水Ｗが、外側に漏れ出さないように、正面パーツ３ａ、背面パーツ３ｂ、流出弁３ｅを側方から覆っている。
【００２２】
以上のように各パーツが構成される本実施形態の貯水用タンク３は、浴室１のミラー２の上方の壁面１ａに取り付けたねじ具５に、背面パーツ３ｂのねじ具差し込み凹部３ｂ４を介して着脱自在に取り付けられる。なお、貯水用タンク３は、止水部３ｄと、正面パーツ３ａの止水部差し込み凹部３ａ２と、背面パーツ３ｂの止水部差し込み凹部３ｂ２と、を設けないものであっても構わない。
【００２３】
なお、図３に示すように、貯水部７の貯水空間は、止水部３ｄが摺動する位置よりも上方の、正面パーツ３ａと背面パーツ３ｂと側面パーツ３ｃによって囲まれる貯水用タンク３の上部の空間で形成される。また、搬送部４の流通空間は、流出弁３ｅと正面パーツ３ａと背面パーツ３ｂと側面パーツ３ｃによって囲まれる貯水用タンク３の下部の空間で形成される。また、流出孔４ａの開口縁部４ｂは、流出弁３ｅの可撓部３ｅ１と側方水漏れ防止片３ｅ４の、ミラー２の表面上端部２ａに接触する端部で構成されている。
【００２４】
浴室１のミラー２の上方の壁面１ａに貯水用タンク３を取り付けた状態において、流出弁３ｅの可撓部３ｅ１と側方水漏れ防止片３ｅ４は、ミラー２の表面上端部２ａに弾性的に接触して、搬送部４の流出孔４ａを閉じた状態となっている。また、背面パーツ３ｂの流出防止片３ｂ３と側面パーツ３ｃの、ミラー２の表面上端部２ａに接触する端部は、貯水部７から流入してきた貯水Ｗが、図３の矢印に示すように流れて、外側に漏れ出すことがないようにミラー２の表面上端部２ａに密着している。
【００２５】
上述した構成のミラーの曇り止め構造の使用方法について説明する。
【００２６】
まず、シャワーや風呂桶を使って、貯水用タンク３の貯水部７及び搬送部４に所定の水量以上貯水Ｗを溜める。すると、搬送部４の下流端部の流出孔４ａの開口縁部４ｂは、貯水Ｗの水圧に押されて、ミラー２の表面上端部２ａから流出隙間Ｓだけ離れる。そして、流出孔４ａからミラー２の表面上端部２ａの左右の幅方向全域に供給された貯水Ｗは、下方に向けて開口する流出隙間Ｓを通って流下し、ミラー２の表面全体に薄い水膜を形成する。
【００２７】
なお、もしミラー２の表面への貯水Ｗの供給を中止したい場合には、止水部３ｄの後端部３ｄ１が背面パーツ３ｂの止水部差し込み凹部３ｂ２内に位置するように止水部３ｄの摘み部３ｄ３を後方にスライド操作して（図２（ａ）参照）、貯水部７と搬送部４とを区画すればよい。
【００２８】
また、本実施形態においては、貯水用タンク３は、左右の幅方向の全域に亘って略同じ断面形状で成形されているので、取り付けるミラー２の左右の幅に合わせて長さを調整すれば、どのような幅のミラー２にでも、左右の幅方向の全域に亘って、取り付けることができる。
【００２９】
また、本実施形態の貯水用タンク３は、ねじ具５を用いれば、ミラー２に取り付けることができるので、既存の浴室１のミラー２にも取り付けることが可能である。
【００３０】
以上、本発明の実施形態について説明した。以下のおいては、本発明の実施形態の奏する効果について、改めて詳述する。
【００３１】
本発明の実施形態のミラーの曇り止め構造は、浴室１の壁面１ａに取り付けたミラー２の上方に貯水用タンク３を設けたものである。貯水用タンク３の下部には、貯水用タンク３に溜められた貯水Ｗをミラー２の表面上端部２ａに搬送して流出孔４ａから流出させる搬送部４を有する。搬送部４の流出孔４ａの開口縁部４ｂは、表面上端部２ａに弾性的に接触して流出孔４ａを塞いでいる。開口縁部４ｂは、貯水Ｗから受ける水圧が所定の水圧以上の場合に、流出孔４ａを開くように弾性変形する。
【００３２】
以上のような構成とすることで、貯水用タンク３に所定の水量以上、水を溜めると、その水圧で、開口縁部４ｂが弾性変形して、流出孔４ａが開く。流出孔４ａからは、ミラー２の表面に沿って貯水Ｗが流出されるので、ミラー２の表面に水膜を形成することができる。
【００３３】
よって、本実施形態のミラーの曇り止め構造には、従来例のように電気部品を設ける必要がなく、そのための防水構造も必要でない。すなわち、本実施形態のような構成とすることで、構成がコンパクトで、製造コストを抑えたミラーの曇り止め構造を提供することができる。
【００３４】
以上、本発明を添付図面に示す実施形態に基づいて説明したが、本発明は上述の各実施形態に限定されるものではなく、本発明の意図する範囲内であれば、適宜の設計変更が可能である。
【符号の説明】
【００３５】
１      浴室
１ａ    壁面
２      ミラー
２ａ    表面上端部
３      貯水用タンク
４      搬送部
４ａ    流出孔
４ｂ    開口縁部
Ｗ      貯水
【図１】
2011229569.tif 000003
【図２】
2011229569.tif 000004
【図３】
2011229569.tif 000005